(57)【要約】【課題】  本発明は、保護シートの紛失を防止するとともに、化粧時に化粧料等が容器外へ落下することや、保護シートが容器本体の上面に倒れてしまうことを防止することができる化粧用容器を提供することを目的とする。【解決手段】  発明に係る化粧用容器の代表的な構成は、化粧料を収納する容器本体２と、蓋体３と、容器本体２の上面を覆う保護シート５と、を有する化粧用容器１であって、保護シート５は、折曲線５ｃによって折り曲げられ、折曲線５ｃにより、容器本体２の上面を覆う保護部５ａと、容器本体２に支持された支持部５ｂとに分割され、折曲線５ｃに隣接した切り込みにより、保護部５ａの一辺に係止片５ｄを有し、折曲線５ｃを中心として保護部５ａを容器本体２の上面から立ち上げることで、係止片５ｄが容器本体２の周側壁２ｄに形成された係止凹部２ｅに係止して自立可能としたことを特徴とする。【選択図】    図１
2005230452.tif 000002
【特許請求の範囲】
【請求項１】
化粧料を収納する容器本体と、蓋体と、前記容器本体の上面を覆う保護シートと、を有する化粧用容器であって、
前記保護シートは、折曲線によって折り曲げられ、該折曲線により、前記容器本体の上面を覆う保護部と、前記容器本体に支持された支持部とに分割され、前記折曲線に隣接した切り込みにより、前記保護部の一辺に係止片を有し、前記折曲線を中心として前記保護部を前記容器本体の上面から立ち上げることで、前記係止片が前記容器本体の周側壁に形成された係止凹部に係止して自立可能としたことを特徴とする化粧用容器。
【請求項２】
請求項１記載の化粧用容器であって、
前記容器本体は、前記周側壁の前記係止凹部の上部に前記係止片が摺動する逃げ部を形成したことを特徴とする化粧用容器。
【請求項３】
請求項１記載の化粧用容器であって、
前記容器本体内に収納され、化粧料等の内容物を収容する中皿を有し、
前記保護シートは、前記支持部を前記中皿と前記容器本体とで挟持して支持されることを特徴とする化粧用容器。 
【発明の詳細な説明】
【技術分野】
【０００１】
本発明は、化粧料等を収容する化粧用容器に関するものである。
【背景技術】
【０００２】
従来、化粧料等を収容する化粧用容器として、容器内に化粧料が飛散したり、ブラシ等の化粧具が鏡に接触することを防止するため、容器本体の上面に保護シートを載置したものがあった。しかし、化粧をする際に、保護シートを容器本体の上面から取り外して机の上等に置いておく必要があり、保護シートを紛失してしまうおそれがあった。
【０００３】
そこで、従来、保護シートを容器本体の周側壁上に水平方向に回動可能に軸支しており、化粧をする際に、保護シートを容器本体側方へ回動させて使用する化粧用容器が提案されている（特許文献１参照）。
【０００４】
また、保護シートを容器本体の周側壁の一辺側を中心に折り曲げることで回動するように支持しており、化粧をする際に、保護シートを容器本体側方へ折り返して使用する化粧用容器が提案されている（特許文献２参照）。
【０００５】
【特許文献１】実公平７−１９３７６号公報
【特許文献１】実開昭６２−７９０９号公報
【発明の開示】
【発明が解決しようとする課題】
【０００６】
しかしながら、特許文献１に記載の化粧用容器は、保護シートが下面を鉛直方向下側に向けたまま容器本体側方へ移動するため、化粧時に、保護シートを容器本体側方へ回動させた際に、保護シートの下面に付着していた化粧料等が容器外に落下してしまうという問題があった。
【０００７】
また、特許文献２に記載の化粧用容器は、保護シートを容器本体側方へ折り返した状態で保持することができず、化粧時に、容器本体側方へ折り返した保護シートが容器本体の上面に倒れてしまうという問題があった。
【０００８】
そこで本発明は、保護シートの紛失を防止するとともに、化粧時に化粧料等が容器外へ落下することや、保護シートが容器本体の上面に倒れてしまうことを防止することができる化粧用容器を提供することを目的とする。
【課題を解決するための手段】
【０００９】
上記課題を解決するために本発明に係る化粧用容器の第一の構成は、化粧料を収納する容器本体と、蓋体と、前記容器本体の上面を覆う保護シートと、を有する化粧用容器であって、前記保護シートは、折曲線によって折り曲げられ、該折曲線により、前記容器本体の上面を覆う保護部と、前記容器本体に支持された支持部とに分割され、前記折曲線に隣接した切り込みにより、前記保護部の一辺に係止片を有し、前記折曲線を中心として前記保護部を前記容器本体の上面から立ち上げることで、前記係止片が前記容器本体の周側壁に形成された係止凹部に係止して自立可能としたことを特徴とする。
【００１０】
また、本発明に係る化粧用容器の第二の構成は、第一の構成の化粧用容器であって、前記容器本体は、前記周側壁の前記係止凹部の上部に前記係止片が摺動する逃げ部を形成したことを特徴とする。
【００１１】
また、本発明に係る化粧用容器の第三の構成は、第一の構成の化粧用容器であって、前記容器本体内に収納され、化粧料等の内容物を収容する中皿を有し、前記保護シートは、前記支持部を前記中皿と前記容器本体とで挟持して支持されることを特徴とする。
【発明の効果】
【００１２】
本発明に係る化粧用容器の第一の構成により、保護シートの紛失を防止するとともに、化粧時に化粧料等が容器外へ落下することや、保護シートが容器本体の上面に倒れてしまうことを防止することができる。
【００１３】
本発明に係る化粧用容器の第二の構成により、係止片が周側壁にひっかかることなく、保護シートをスムーズに立ち上げることができる。
【００１４】
本発明に係る化粧用容器の第三の構成により、保護シートを接着剤等を用いることなく、容器本体に容易に取り付けることができる。
【発明を実施するための最良の形態】
【００１５】
本発明に係る化粧用容器の実施形態について、図を用いて説明する。図１（ａ）は本実施形態に係る化粧用容器の斜視図、図１（ｂ）は保護シートの斜視図、図２は正面から見た容器本体及び保護シートの断面図、図３〜図５は保護シートの立ち上げの説明図である。
【００１６】
図１（ａ）に示すように、化粧料等を収容する化粧用容器１は、容器本体２、蓋体３、中皿４、保護シート５から構成される。
【００１７】
容器本体２は、内側に中皿４を囲って収納する周側壁２ｄを設け、周側壁２ｄにヒンジ用凹部２ｂ、フック用凹部２ａ、係止凹部２ｅ、逃げ部２ｆを設けている。ヒンジ用凹部２ｂは容器本体２の背面に形成され、フック用凹部２ａは容器本体２の正面に形成される。係止凹部２ｅは周側壁２ｄの左側面の内側に形成され、逃げ部２ｆは係止凹部の上部に、周側壁２ｄの上面から係止凹部２ｅへ向けて斜めに形成されている。
【００１８】
蓋体３は、その内面の中央に鏡10、内面の背面側にヒンジ用凸部３ａを、内面の正面側にフック３ｂをそれぞれ設け、容器本体２にヒンジ結合している。
【００１９】
ヒンジ用凸部３ａは、前記したヒンジ用凹部２ｂに嵌め込まれている。ヒンジ用凹部２ｂとヒンジ用凸部３ａの軸穴に軸13を通すことにより、ヒンジ用凸部３ａは両側を容器本体２に支持されることとなり、蓋体３が容器本体２に対して回動可能に蝶着される。
【００２０】
フック３ｂは、蓋体３を閉じた際に容器本体２のフック用凹部２ａ内に設けられた掛止凸部２ｇに掛止されて、蓋体３を容器本体２に閉蓋状態でロックするようになっている。また、フック３ｂを押し上げることで掛止凸部２ｇとフック３ｂのロックを解除し、蓋体３が開く。
【００２１】
中皿４は、長方形の平面形状に形成されており、化粧料、化粧具を収納する収納部４ａ、４ｂが形成されている。
【００２２】
図１（ｂ）、図２に示すように、保護シート５は、ＰＥＴ、ＰＰ等の透明もしくは半透明の樹脂でコの字状に形成された薄板であり、折曲線５ｃにより保護部５ａと支持部５ｂとに分割され、折曲線５ｃによって折り曲げ可能に形成されている。
【００２３】
保護部５ａは、容器本体２の上面を覆うように、中皿４とほぼ同じ長方形の平面形状に形成されている。保護部５ａは、蓋体３を閉じた際には鏡10と化粧料との間に介在し、容器本体２の上面を覆う。また、保護部５ａは透明もしくは半透明に形成されているため、保護部５ａが容器本体２の上面を覆った状態で収納された化粧料等を視認可能となっている。
【００２４】
支持部５ｂは、Ｌ字状に形成されており、容器本体２の底面から周側壁２ｄの内側に渡って、中皿４と容器本体２とで挟持して支持されている。支持部５ｂには、折曲線５ｃに隣接した切り込みが入れられており、この切り込みによって保護部５ａの左辺に係止片５ｄが形成されている。
【００２５】
係止片５ｄは保護部５ａに対して上方（蓋体３側）に曲がって立ち上がっている。折曲線５ｃを中心として保護部５ａを容器本体２の上面から立ち上げることで、係止片５ｄは周側壁２ｄに形成された逃げ部２ｆを摺動して係止凹部２ｅに係止し、保護部５ａが自立する。
【００２６】
化粧用容器１を使用する際は、まず、上述のごとく、化粧用容器１が閉じた状態から、フック３ｂを押し上げることで掛止凸部２ｇとフック３ｂのロックを解除し、蓋体３を開く。
【００２７】
続いて、図３に示すように、折曲線５ｃを中心に保護シート５の右辺を持ち上げる。そして、図４に示すように、保護部５ａが容器本体２の上面に対して９０°近く立ち上がったところで、保護部５ａの左辺に形成された係止片５ｄが周側壁２ｄに形成された逃げ部２ｆに当接し、撓みながら係止凹部２ｅに向かって逃げ部２ｆを摺動する。
【００２８】
その後、さらに保護部５ａを回動し、図５に示すように、保護部５ａが容器本体２の上面に対して１２０°近く開いたところで、係止片５ｄが逃げ部２ｆから係止凹部２ｅに入り、係止凹部２ｅと係止することで、保護シート５が自立する。
【００２９】
この際、係止片５ｄは保護部５ａに対して上方に曲げられているため、保護シート５は容器本体２の側方へ折り返されて自立する。このため、立ち上げた保護シート５が邪魔にならず、保護シート５を取り外すことなく、中皿４内の化粧具、化粧料を用いて化粧を行うことができる。
【００３０】
上述のごとく、保護シート５は、折曲線５ｃを中心として保護部５ａを容器本体２の上面から立ち上げることで、係止片５ｄが容器本体２の周側壁２ｄに形成された係止凹部２ｅに係止して自立可能とした。これにより、化粧用容器１の使用時に保護シート５を容器本体２から取り外す必要がなく、保護シート５の紛失を防止することができる。また、化粧時に化粧料等が容器外へ落下することや、保護シート５が容器本体２の上面に倒れてしまうことを防止することができる。
【００３１】
また、周側壁２ｄの係止凹部２ｅの上部に係止片５ｄが摺動する逃げ部２ｆを形成したことにより、係止片５ｄが周側壁２ｄにひっかかることなく、保護シート５をスムーズに立ち上げることができる。
【００３２】
また、保護シート５を支持部５ｂを中皿４と容器本体２とで挟持して支持することにより、保護シート５を接着剤等を用いることなく、容器本体２に容易に取り付けることができる。
【産業上の利用可能性】
【００３３】
本発明は、化粧料以外の様々な内容物を収容するコンパクト容器にも適用出来る。
【図面の簡単な説明】
【００３４】
【図１】（ａ）本実施形態に係る化粧用容器の斜視図である。（ｂ）保護シートの斜視図である。
【図２】容器本体及び保護シートの断面図である。
【図３】保護シートの立ち上げの説明図である。
【図４】保護シートの立ち上げの説明図である。
【図５】保護シートの立ち上げの説明図である。
【符号の説明】
【００３５】
１    …化粧用容器
２    …容器本体
２ａ  …フック用凹部
２ｂ  …ヒンジ用凹部
２ｄ  …周側壁
２ｅ  …係止凹部
２ｆ  …逃げ部
２ｇ  …掛止凸部
３    …蓋体
３ａ  …ヒンジ用凸部
３ｂ  …フック
４    …中皿
４ａ  …化粧料収納部
４ｂ  …収納部
５    …保護シート
５ａ  …保護部
５ｂ  …支持部
５ｃ  …折曲線
５ｄ  …係止片
10    …鏡
13    …軸
【図１】
2005230452.tif 000003
【図２】
2005230452.tif 000004
【図３】
2005230452.tif 000005
【図４】
2005230452.tif 000006
【図５】
2005230452.tif 000007